(57)【要約】      （修正有）【課題】受領後に立体形状とすることにより、継続的に使用できる書簡を提供する。【解決手段】表面部２と、裏面部３と、中面部４とからなる書簡であって、表面部２および裏面部３の上縁を一対の折曲線Ｌ１を介して連結する第１の連結部５と、裏面部３の下縁に折曲線Ｌ２を介して連設され、第１の連結部５と略同一幅を有する第２の連結部６と、表面部２および中面部４の下縁を一対の折曲線Ｌ３して連結し、第１の連結部５よりも幅狭に形成された第３の連結部７と、中面部４の上縁に折曲線Ｌ４を介して連設された第４の連結部８とを備え、各折曲線Ｌ１〜Ｌ４を山折りすることにより、中面部４を、表面部２、第１の連結部５、裏面部３、および、第２の連結部６によって取り囲み、かつ、第４の連結部８を第１の連結部５の内面側に貼着し、第２の連結部６を第３の連結部７の外面側に貼着してなり、裏面部３には、中面部４を露出させる透視窓９を形成する。【選択図】図１
2020082379.tif 000002
【特許請求の範囲】
【請求項１】
宛先等が記載される矩形状に形成された表面部と、この表面部と略同一の矩形状に形成され前記表面部の裏面側に対向配置される裏面部と、前記表面部と前記裏面部との間に介装される中面部と、前記表面部および前記裏面部の上縁若しくは下縁とを一対の折曲線を介して連結する第１の連結部と、前記裏面部の下縁若しくは上縁に折曲線を介して連設され、前記第１の連結部と略同一幅を有する第２の連結部と、前記表面部および前記中面部の下縁若しくは上縁とを一対の折曲線を介して連結し、前記第１の連結部よりも幅狭に形成された第３の連結部と、前記中面部の上縁若しくは下縁に折曲線を介して連設された第４の連結部とを備え、前記各折曲線を山折りすることにより、前記中面部を、前記表面部、前記第１の連結部、前記裏面部、および、前記第２の連結部によって取り囲み、かつ、前記第４の連結部を前記第１の連結部の内面側に貼着し、前記第２の連結部を前記第３の連結部の外面側に貼着してなり、前記裏面部には、前記中面部を露出させる透視窓が形成されていることを特徴とする書簡。
【請求項２】
前記表面部および前記裏面部のそれぞれの両側縁に、各側縁毎に相互に重畳させられるとともに、相互に貼着される形状保持部が切り取り線を介して連設されていることを特徴とする請求項１に記載の書簡。
【請求項３】
前記裏面部の内側に、前記透視窓を覆う透明フィルムが装着されていることを特徴とする請求項１または請求項２に記載の書簡。
【請求項４】
前記中面部に、切り抜きによる図柄が形成されていることを特徴とする請求項１ないし請求項３の何れかに記載の書簡。
【請求項５】
前記表面部の内面に、前記切り抜き部分に対峙される描画が形成されていることを特徴とする請求項４に記載の書簡。
【発明の詳細な説明】
【技術分野】
【０００１】
本発明は、書簡に係わり、特に、配達時には平板状に折り畳まれ、受領後に立体形状とすることのできる書簡に関する。
【背景技術】
【０００２】
従来、たとえば、葉書やダイレクトメール等の書簡は、矩形状の一枚の紙葉で構成され、若しくは、複数枚の紙葉を剥離可能に貼着した構成となっている。
【先行技術文献】
【特許文献】
【０００３】
【特許文献１】なし
【発明の概要】
【発明が解決しようとする課題】
【０００４】
ところで、前述した従来の書簡では、得られる視覚的な情報が、各紙葉に記載された文字や図柄といた平面的な情報に限られている。
【０００５】
また、前記書簡は、記載された情報の確認を行なった後は机上に載置されることが多く、再確認のためには、書簡を手にとって紙面を確認する必要がある。
【０００６】
さらに、前記書簡は、情報確認後には廃棄されるか収納されてしまうことが殆どである。
【０００７】
本発明は、前述した従来の問題点に鑑みなされたもので、配達時には平板状に折り畳まれた状態として配達を容易にし、かつ、受領後には立体形状とすることにより、立体的な視覚効果を生じさせるとともに、置物としての機能を生じさせて継続的な使用を促すことの可能な書簡を提供することを解決すべき課題とする。
【課題を解決するための手段】
【０００８】
本発明の書簡は、前述した課題を解決するために、宛先等が記載される矩形状に形成された表面部と、この表面部と略同一の矩形状に形成され前記表面部の裏面側に対向配置される裏面部と、前記表面部と前記裏面部との間に介装される中面部と、前記表面部および前記裏面部の上縁若しくは下縁とを一対の折曲線を介して連結する第１の連結部と、前記裏面部の下縁若しくは上縁に折曲線を介して連設され、前記第１の連結部と略同一幅を有する第２の連結部と、前記表面部および前記中面部の下縁若しくは上縁とを一対の折曲線を介して連結し、前記第１の連結部よりも幅狭に形成された第３の連結部と、前記中面部の上縁若しくは下縁に折曲線を介して連設された第４の連結部とを備え、前記各折曲線を山折りすることにより、前記中面部を、前記表面部、前記第１の連結部、前記裏面部、および、前記第２の連結部によって取り囲み、かつ、前記第４の連結部を前記第１の連結部の内面側に貼着し、前記第２の連結部を前記第３の連結部の外面側に貼着してなり、前記裏面部には、前記中面部を露出させる透視窓が形成されていることを特徴としている。
【０００９】
本発明によれば、前記表面部、中面部、および、裏面部を、前記折り線において折り込むことにより、これらを厚み方向に重畳させて平板状に折り畳むことができる。
【００１０】
この状態で配達が行なわれ、通常の葉書やダイレクトメールと同様に、表面部に記載された文字や図柄による平面的な情報を確認することができる。
【００１１】
前記表面部の平面的な情報確認後は、前記各折曲線を山折りすることにより、前記表面部、第１連結部、第２連結部、および、裏面部をほぼ直交させ、これによって、箱形に変形させることができる。
【００１２】
また、前記表面部と裏面部との間に、これらと略平行に前記中間部を位置させることができる。
【００１３】
ここで、前記表面部に透視窓が形成されていることから、この透視窓から中間部が視認される。
【００１４】
前述したように箱形に形成された書簡は、例えば、机上に置物として置くことができるので、継続的な使用が可能となる。
【００１５】
また、前記裏面部と中面部が間隔をおいて重畳させられ、かつ、中面部が裏面部に形成されている透視窓から視認することができるので、裏面具と中面部による立体的な視認効果を得ることができる。
これによって、多様な情報を提供することができる。
【００１６】
前記表面部および前記裏面部のそれぞれの両側縁に、各側縁毎に相互に重畳させられるとともに、相互に貼着される形状保持部が切り取り線を介して連設しておくことができる。
【００１７】
このような構成とすることにより、前記各形状保持部を貼着しておくことにより、書簡を平板状に保持して、配達を容易にすることができる。
【００１８】
前記裏面部の内側に、前記透視窓を覆う透明フィルムを装着しておくこともできる。
【００１９】
このような構成とすると、前記中面部を前記透明フィルムによって保護して、その損傷を防止することができる。
【００２０】
そして、前記中面部に、切り抜きによる図柄を形成することにより、この切り抜きを介して、後方に位置する表面部との距離感を与えることができる。
これによって、立体感をより高めることができる。
【００２１】
ここで、前記表面部の内面に、前記切り抜き部分に対峙される描画（文字も含む）を形成しておくことにより、提供できる情報を増やすことができる。
【発明の効果】
【００２２】
本発明の書簡によれば、配達時には平板状に折り畳まれた状態として配達を容易にし、かつ、受領後には立体形状とすることにより、立体的な視覚効果を生じさせるとともに、置物としての機能を生じさせて継続的な使用を促すことができる。
【図面の簡単な説明】
【００２３】
【図１】本発明の一実施形態の書簡を展開した正面図である。
【図２】本発明の一実施形態の書簡を展開した背面図である。
【図３】本発明の一実施形態の書簡の正面図である。
【図４】本発明の一実施形態の書簡の背面図である。
【図５】本発明の一実施形態の書簡を立体化する際の手順を示す背面図である。
【図６】本発明の一実施形態の書簡を立体化する際の手順を示す背面図である。
【図７】本発明の一実施形態の書簡を立体化する際の手順を示す背面図である。
【図８】本発明の一実施形態の書簡を組み立てる際の手順を示す縦断面図である。
【図９】本発明の一実施形態の書簡を組み立てる際の手順を示す縦断面図である。
【図１０】本発明の一実施形態の書簡を組み立てる際の手順を示す縦断面図である。
【図１１】本発明の一実施形態を立体化した際の縦断面図である。
【発明を実施するための形態】
【００２４】
以下、本発明の第１の実施形態について、図面を参照して説明する。
これらの図において、符号１は本実施形態の書簡を示す。
【００２５】
この書簡１は、宛先等が記載される矩形状に形成された表面部２と、この表面部２と略同一の矩形状に形成され前記表面部２の裏面側に対向配置される裏面部３と、前記表面部２と前記裏面部３との間に介装される中面部４と、前記表面部２および前記裏面部３の上縁を一対の折曲線Ｌ１を介して連結する第１の連結部５と、前記裏面部３の下縁に折曲線Ｌ２を介して連設され、前記第１の連結部５と略同一幅を有する第２の連結部６と、前記表面部２および前記中面部４の下縁を一対の折曲線Ｌ３して連結し、前記第１の連結部５りも幅狭に形成された第３の連結部７と、前記中面部４の上縁に折曲線Ｌ４を介して連設された第４の連結部８とを備え、前記各折曲線Ｌ１〜Ｌ４を山折りすることにより、前記中面部４を、前記表面部２、前記第１の連結部５、前記裏面部３、および、前記第２の連結部６によって取り囲み、かつ、前記第４の連結部８を前記第１の連結部５の内面側に貼着し、前記第２の連結部６を前記第３の連結部７の外面側に貼着してなり、前記裏面部３には、前記中面部４を露出させる透視窓９が形成されている。
【００２６】
前記表面部２、第１の連結部５、裏面部３、および、第２の連結部６のそれぞれの両側縁には、各側縁毎に相互に重畳させられるとともに、相互に貼着される形状保持部１０が切り取り線Ｃ１を介して連設されている。
【００２７】
前記裏面部３の内側には、図２に示すように、前記透視窓９を覆う透明フィルム１１が装着されている。
【００２８】
前記中面部４には、切り抜き１２による図柄が形成されており、また、前記表面部２の内面には、前記切り抜き１２部分に対峙される描画１３が形成されている。
【００２９】
また、前記第１の連結部５、第２の連結部６、および、前記形状保持部１０の裏面側にはのりしろ１４が形成されて接着用ののりが塗布されている。
【００３０】
さらに、前記形状保持部１０の、前記裏面部３および第１の連結部５に連続する部位で、形状保持部１０の幅方向の中間位置に、波形の切り取り線Ｃ２が形成されている。
【００３１】
そして、前記各切り取り線Ｃ２の両端部と前記切り取り線Ｃ１との間に、直線的な切り込みＤが形成されている。
【００３２】
このように構成された本実施形態の書簡１は、図８に示すように、折曲線Ｌ３を山折りすることことによって、中面部４および第４の連結部８を表面部２の裏側へ折り畳む。
【００３３】
ついで、表面部２側の折曲線Ｌ１を山折りすることによって、図９に示すように、第１の連結部５および裏面部３を、中面部４およびの内面に貼着固定する。
【００３４】
さらに、折曲線Ｌ２を山折りすることにより、図１０に示すように、第２の連結部６を第３の連結部７の外面に重畳させるとともにこれらを貼着固定する。
同時に、両形状保持部１０同士を重畳させるとともに、これらを貼着固定する。
【００３５】
ここで、形状保持部１０の切り取り線Ｃ１・Ｃ２、および、両切り込みＤ戸によって取り囲まれる部位は貼着しない。
【００３６】
以上の手順によって、図３および図４に示すように、平板状の書簡１を組み上げることができる。
【００３７】
このような平板状の書簡１の表面部２の表面に、図３に示すように、宛先や挨拶文等の文字情報を記述することにより、葉書やダイレクトメールとして使用することができる。
そして、裏面側においては、図４に示すように、裏面部３の表面から、透視窓９を介して中面部４の一部が露出させられている。
【００３８】
ついで、前記表面部２の情報を確認した後は、まず、前記両形状保持部１０の、両切り込みＤ、および、両切り取り線Ｃ１・Ｃ２によって囲まれる部位を、この部位を図５に示すように切り取った後に、前記両形状保持部１０を、切り取り線Ｃ１から切り離す（図６参照）。
【００３９】
これより、図１１に示すように、折曲線Ｌ１・Ｌ２・Ｌ３・Ｌ４における折り角が約９０°となるように折り角を調整する。
【００４０】
これによって、図１１に示すように、書簡１が箱形となされるとともに、表面部２、裏面部３、および、中面部４が、所定間隔をおいてほぼ平行に保持される。
【００４１】
このように箱形となされた書簡１は、たとえば、机上に立てた状態で置くことができる。
【００４２】
そして、裏面部３に形成された透視窓９からは、中面部４と表面部が前後方向に立体的に視認することができる。
したがって、提供情報を立体的に行なってその情報量を増やすことができるばかりでなく、その立体的な視覚効果により興味をもたせて、継続的な使用を可能にすることができる。
【００４３】
なお。前記各実施形態において示した各構成部材の諸形状や寸法等は一例であって、書簡の形状や設計要求等に基づき種々変更可能である。
【符号の説明】
【００４４】
１  書簡
２  表面部
３  裏面部
４  中面部
５  第１の連結部
６  第２の連結部
７  第３の連結部
８  第４の連結部
９  透視窓
１０  形状保持部
１１  透明フィルム
１２  切り抜き
１３  描画
１４  のりしろ
Ｃ１  切り取り線
Ｃ２  切り取り線
Ｄ  切り込み
Ｌ１  折曲線
Ｌ２  折曲線
Ｌ３  折曲線
Ｌ４  折曲線
【図１】
2020082379.tif 000003
【図２】
2020082379.tif 000004
【図３】
2020082379.tif 000005
【図４】
2020082379.tif 000006
【図５】
2020082379.tif 000007
【図６】
2020082379.tif 000008
【図７】
2020082379.tif 000009
【図８】
2020082379.tif 000010
【図９】
2020082379.tif 000011
【図１０】
2020082379.tif 000012
【図１１】
2020082379.tif 000013